(57)【要約】【課題】サムネイル一覧画像を表示する際、ＨＤＴＶモニタ表示用のサムネイル一覧画像とＳＤＴＶモニタやＬＣＤ表示用の低解像度サムネイル一覧画像を同時に出力、表示できないという課題を有していた。【解決手段】複数の縮小画像を画面内に配置した標準映像信号形式のサムネイル一覧映像信号と、任意に選択されたサムネイルのステータス情報とを入力として、サムネイル一覧映像信号とステータス情報とを多重して出力する高精細サムネイル生成手段と、サムネイル一覧映像信号を表示する表示手段とを備え、サムネイル生成手段は、標準映像信号形式よりも高解像度の高精細映像信号の一部の領域にサムネイル一覧映像信号を多重し、他の領域にステータス情報を多重するように構成したものである。【選択図】図１
2008005100.tif 000002
【特許請求の範囲】
【請求項１】
標準映像信号形式の標準映像信号、前記標準映像信号形式よりも高解像度の高精細映像信号及び複数の縮小画像を画面内に配置した標準映像信号形式のサムネイル一覧映像信号を入力映像信号とし、前記入力映像信号の入力フォーマット情報と出力する映像信号の出力フォーマット情報とに基づいてフォーマット変換を行うフォーマット変換手段と、
前記入力映像信号を前記入力フォーマット情報に基づいて標準映像信号形式に変換して外部へ出力する標準信号変換手段と、
前記フォーマット変換手段から出力される中間映像信号と、任意に選択されたサムネイルのステータス情報とを入力として、前記入力映像信号がサムネイル一覧映像信号であるかどうかを示す、予め入力されるサムネイル判別情報に基づいて、前記入力映像信号が前記サムネイル一覧映像信号であることを示している場合には、前記中間映像信号と前記ステータス情報とを、前記出力フォーマット情報に基づいて多重して出力する高精細サムネイル生成手段と、
前記フォーマット変換手段の出力と前記高精細サムネイル生成手段の出力とを選択して出力する選択手段とを備え、
前記選択手段は、前記入力映像信号がサムネイル一覧映像信号であることを前記サムネイル判別情報が示しており、かつ前記出力フォーマット情報が高精細映像信号であることを示している場合には、前記高精細サムネイル生成手段の出力を選択して出力する画像生成装置。
【請求項２】
前記高精細サムネイル生成手段は、前記サムネイル判別情報に基づいて、前記入力映像信号が前記サムネイル一覧映像信号である場合には、直前に出力したサムネイル一覧映像信号以外の出力フォーマット情報に従って出力する請求項１記載の画像生成装置。
【請求項３】
前記高精細サムネイル生成手段は、予め入力されるサムネイル判別情報に基づいて、入力映像信号が前記サムネイル一覧映像信号の場合には、前記出力フォーマット情報に基づく出力映像信号の画素数と、前記サムネイル一覧映像信号の画素数との比を保った状態で多重する請求項１記載の画像生成装置。
【請求項４】
複数の縮小画像を画面内に配置した標準映像信号形式のサムネイル一覧映像信号と、任意に選択されたサムネイルのステータス情報とを入力として、前記サムネイル一覧映像信号と前記ステータス情報とを多重して出力する高精細サムネイル生成手段と、前記サムネイル一覧映像信号を表示する表示手段とを備え、
前記サムネイル生成手段は、標準映像信号形式よりも高解像度の高精細映像信号の一部の領域に前記サムネイル一覧映像信号を多重し、他の領域に前記ステータス情報を多重する画像表示装置。
【請求項５】
標準映像信号形式の標準映像信号、前記標準映像信号形式よりも高解像度の高精細映像信号及び複数の縮小画像を画面内に配置した標準映像信号形式のサムネイル一覧映像信号を入力映像信号とし、前記入力映像信号の入力フォーマット情報と出力する映像信号の出力フォーマット情報とに基づいてフォーマット変換を行うフォーマット変換手段と、
前記入力映像信号を前記入力フォーマット情報に基づいて標準映像信号形式に変換して表示手段へ出力する標準信号変換手段と、
入力される標準映像信号形式の映像信号を表示する表示手段と、
前記フォーマット変換手段から出力される中間映像信号と、任意に選択されたサムネイルのステータス情報とを入力として、前記入力映像信号がサムネイル一覧映像信号であるかどうかを示す、予め入力されるサムネイル判別情報に基づいて、前記入力映像信号が前記サムネイル一覧映像信号であることを示している場合には、前記中間映像信号と前記ステータス情報とを、前記出力フォーマット情報に基づいて多重して出力する高精細サムネイル生成手段と、
前記フォーマット変換手段の出力と前記高精細サムネイル生成手段の出力とを選択して出力する選択手段とを備え、
前記選択手段は、前記中間映像信号がサムネイル一覧映像信号であることを前記サムネイル判別情報が示しており、かつ前記出力フォーマット情報が高精細映像信号であることを示している場合には、前記高精細サムネイル生成手段の出力を選択して出力する画像表示装置。
【発明の詳細な説明】
【技術分野】
【０００１】
本発明は、高精細映像信号を表示することのできるＴＶモニタに、サムネイル一覧映像信号と、任意に選択されたサムネイルの再生信号とを切り替えて出力することができる画像生成装置に関する。
【背景技術】
【０００２】
近年、国内ではＮＴＳＣ方式に対応したＴＶモニタ以外に、地上ディジタル放送、ＢＳディジタル放送などの高精細映像信号（以下ＨＤ映像信号と記載する）に対応したＨＤＴＶモニタも市場に多く出回っている。
【０００３】
このＨＤ映像信号は、ＮＴＳＣ方式の有効画素数が横７２０画素×縦４８０ラインの標準映像信号（以下ＳＤ映像信号）に対して、有効画素数が横１９２０画素×縦１０８０ライン、または横１２８０画素×縦７２０ラインの解像度を有しており、ＮＴＳＣ方式に比べて、高解像度（高画質、高精細）な映像信号であり、ＨＤＴＶモニタにより高精細画像を表現できるものとなっている。
【０００４】
一方、ビデオカメラやディジタルスチルカメラなどの液晶ディスプレイ（以下ＬＣＤと記載する）には、機器の携行性や携帯性、コストを重視するため、小型で画素数の少ないＬＣＤを用いて、ＳＤ映像信号を表示するのが一般的になっている。またビデオカメラの記録メディアには、半導体メディアやハードディスクドライブが用いられるようになってきている。このようなビデオカメラで画像再生対象を選択する際、その検索効率を向上する手段として、メディアのランダムアクセス性を活かしたサムネイル方式が用いられている。
【０００５】
サムネイル方式は、表示装置の画面に、メディアに記録された画像を用いて、予め決められた画像数で縮小画像（以下サムネイル画像と記載する）を縦×横のマトリックス形式で配置し、グラフィカルユーザーインターフェース（以下ＧＵＩと記載する）により任意のサムネイル画像を選択することで再生画像の表示を行う。
【０００６】
また、特許文献１には、撮像部と、映像信号を記録する記録媒体と、画像表示部と、ユーザーの選択により各種映像出力を設定可能とするユーザー設定部と、設定に応じて、映像信号をＨＤ映像信号またはＳＤ映像信号に変換する画像処理部と、ＨＤ映像信号またはＳＤ映像信号を各種ＴＶモニタに出力する映像出力端子に接続される各種ＴＶモニタ用接続ケーブルの接続状態を判別し、判別に応じて、ＨＤ映像信号またはＳＤ映像信号を信号切り替え部により選択して映像出力端子に出力し、選択された信号に応じて、各種ＴＶモニタの画面表示内容及びユーザーインターフェースを切り替えるシステム制御部を備えた構成が開示されている。
【０００７】
このように、ＳＤ映像信号を出力するＳＤＴＶモニタとＨＤ映像信号を出力するＨＤＴＶモニタに対応し、ＳＤ映像信号とＨＤ映像信号とを選択可能な画像出力機能を持つ装置により、選択したＴＶ方式によって表示画面内容及びＧＵＩを切り換えるようにすることができる。
【０００８】
このような構成により、信号切り替え部により選択したＴＶ方式毎に切り替えられる画面表示内容及びＧＵＩは、サムネイル画像の表示数及び、サムネイル画像に対するＧＵＩの表示項目数であり、ＨＤＴＶモニタに接続した場合は、ＨＤ映像信号の画素数に応じたサムネイル一覧やＧＵＩを生成し表示することができる。
【０００９】
以下に本発明の背景技術となる、特許文献１に記載されている従来の画像生成装置について説明する。
【００１０】
図４は、従来の画像生成装置を適用した撮像装置の実施例を示した図であり、図４において、ビデオカメラ４０１とＨＤＴＶモニタ４０３を、ＨＤ映像信号が伝送可能なケーブル４０４にて接続する。ビデオカメラ４０１に記録された画像を再生する場合、ビデオカメラ４０１に取り付けられたＬＣＤ４０２またはＨＤＴＶモニタ４０３に表示する。
【００１１】
サムネイル一覧画像とＧＵＩ画像をＨＤＴＶモニタに表示する場合は、ビデオカメラ４０１にてＨＤ映像信号の解像度を持つサムネイル一覧画像をＨＤＴＶモニタの表示例４０５のように生成して出力する。このとき、ＬＣＤ４０２はＳＤ映像信号の解像度で表示するので、ＨＤ映像信号の解像度を持つサムネイル一覧画像は、ＬＣＤ４０２にはＬＣＤ画面の表示例４０６のように何も表示しない。
【００１２】
図５は、従来の画像生成装置を適用した撮像装置の構成を示すブロック図である。図５において、撮像部５０１は図示しない光学系により結像された被写体映像を固体撮像素子より読み出し、映像信号として出力する。画像処理部５０３は撮像部５０１から取り込んだ映像信号に対して自動露出やホワイトバランス処理等を行う。画像メモリ５０２は画像処理部５０３により処理された画像データを一時的に記憶する。
【００１３】
また画像処理部５０３は、システム制御部５０４から記録の要求があった場合は画像メモリ５０２に一時的に記憶されている画像データを圧縮または非圧縮で記憶媒体５０５に記録し、システム制御部５０４から再生の要求があった場合は記憶媒体５０５より画像データを読み出し、伸張処理を行い画像メモリ５０２に出力する。
【００１４】
画像表示部５０６には、画像メモリ５０２に一時記憶されている画像データにＯＳＤ（Ｏｎ  Ｓｃｒｅｅｎ  Ｄｉｓｐｌａｙ）によるデータを加えたものが表示される。画像処理部５０３は、画像メモリ５０２に一時記憶されている画像データにＯＳＤによるデータを加えたものを生成する。信号切り替え部５０７には、このデータをＨＤＴＶ信号５１１にエンコードしたものと、ＳＤＴＶ信号５１２にエンコードしたものとが入力される。信号切り替え部５０７は、システム制御部５０４からの切り替え信号にて選択されたＨＤＴＶ信号５１１またはＳＤＴＶ信号５１２を映像出力端子５０８に出力する。
【００１５】
映像出力端子５０８はＴＶモニタ接続用のケーブルが接続されていること及びケーブルの種類を検出する機能を有し、検出結果は接続及びケーブルの種類検出信号５１４としてシステム制御部５０４に通知される。切り替え状態表示ＬＥＤ５０９はシステム制御部５０４からの切り替え信号５１３の状態を表示する。
【００１６】
ここで、ユーザー設定部５１０はユーザーの選択により各種映像出力を設定可能とし、ユーザー設定部５１０の設定に応じて、画像処理部５０３は、撮像部５０１からの映像信号または記憶媒体５０５からの映像信号を高解像度の高精細度映像信号または標準解像度の標準映像信号に変換する機能を有するように構成される。
【００１７】
また、システム制御部５０４は高精細度映像信号または標準映像信号を各種ＴＶモニタに出力する映像出力端子５０８に接続される各種ＴＶモニタ用接続ケーブルの接続状態を判別し、判別手段による判別に応じて、信号切り替え部５０７はＨＤ映像信号またはＳＤ映像信号を選択して映像出力端子５０８に出力し、システム制御部５０４は選択されたＨＤ映像信号またはＳＤ映像信号に応じて、各種ＴＶモニタの画面表示内容及びＧＵＩを切り替える機能を有するように構成される。
【００１８】
このような、ＳＤ映像信号に対応したＳＤＴＶモニタ及びＨＤ映像信号に対応したＨＤＴＶモニタのいずれかに接続可能で、いずれに接続されているかによってＳＤ映像信号とＨＤ映像信号とを選択可能な画像出力機能を持つ画像生成装置により、選択したＴＶ方式によって表示画面内容及びＧＵＩを切り替えるようにすることが可能となり、接続されたＴＶモニタの性能を充分に活かすことができる。
【特許文献１】特開２００５−１０１８６５号公報
【発明の開示】
【発明が解決しようとする課題】
【００１９】
しかしながら、ＳＤＴＶモニタ及びＨＤＴＶモニタの両方に同時に接続して映像表示が可能な従来の映像表示装置は、以下に示す課題を有していた。
【００２０】
例えばＬＣＤを備えたビデオカメラにおいて、外部出力としてＨＤＴＶモニタを接続した場合を考える。ビデオカメラが、ＨＤ映像信号の画素数に応じてサムネイル一覧画像を生成してＨＤＴＶモニタに表示するとき、ＳＤ映像信号の表示にしか対応していないＬＣＤでは、ＨＤ映像信号による高精細サムネイル一覧画像をＳＤ映像信号形式に変換して表示するか、またはＬＣＤには何も表示しないということになる。この場合、前者は低解像度への変換による視認性の低下を生じ、後者は、サムネイル一覧の表示がＨＤＴＶモニタだけとなるために操作性の低下を生じる。逆に、ＬＣＤに対応したサムネイル一覧画像を生成したとすると、ＨＤＴＶモニタではその高解像度を活かすことができない。このように、従来の画像生成装置においては、高精細度映像信号及び標準映像信号のいずれかのＴＶ方式に合わせたサムネイル一覧画像を生成するために、他のＴＶ方式のＴＶモニタに対する表示は、その解像度に適した表示ができなかった。
【００２１】
本発明はこのような課題に鑑み、解像度の異なる複数のモニタに対応したサムネイル表示を可能とする画像生成装置を提供することを目的とする。
【課題を解決するための手段】
【００２２】
前記した課題を解決するため本発明では、複数の縮小画像を画面内に配置した標準映像信号形式のサムネイル一覧映像信号と、任意に選択されたサムネイルのステータス情報とを入力として、前記サムネイル一覧映像信号と前記ステータス情報とを多重して出力する高精細サムネイル生成手段を備え、前記サムネイル生成手段は、標準映像信号形式よりも高解像度の高精細映像信号の一部の領域に前記サムネイル一覧映像信号を多重し、他の領域に前記ステータス情報を多重するように構成したものである。
【発明の効果】
【００２３】
本発明によれば、ＨＤＴＶモニタにサムネイル一覧画像を表示する場合は、ＳＤ映像信号形式のサムネイル一覧映像信号をＨＤ映像信号に、縦横の画素数の比を保ったまま、任意に選択したサムネイル画像のステータス情報と多重し、ＬＣＤにはＳＤ映像信号形式のサムネイル一覧画像をそのまま出力することで、接続したＨＤＴＶモニタの表示特性を活かした高精細なサムネイル一覧画像を表示できると共に、操作性の確保ができる、という効果を有している。
【発明を実施するための最良の形態】
【００２４】
以下、本発明の実施の形態について図１乃至図３を用いて説明する。本実施の形態では、本発明の画像生成装置を適用したビデオカメラについて説明する。
【００２５】
図１は本実施の形態にかかるビデオカメラとＨＤＴＶモニタとを接続して、ＬＣＤとＨＤＴＶモニタの各々にサムネイル一覧画像を表示する場合の表示例を示した図、図２はビデオカメラにおいてサムネイル一覧画像を生成する画像生成装置の構成を示した図、図３は画像生成装置において映像出力切り替え制御例を示したフローチャートである。
【００２６】
図１において、ビデオカメラ１０１とＨＤＴＶモニタ１０３をケーブル１０４にて接続する。ビデオカメラ１０１に記録された画像を再生する場合、ビデオカメラ１０１に取り付けられたＬＣＤ１０２またはＨＤＴＶモニタ１０３に表示する。ケーブル１０４は、ＨＤ映像信号が伝送可能なＤ端子ケーブルまたはＨＤＭＩケーブル等を用いる。
【００２７】
サムネイル一覧画像をＨＤＴＶモニタに表示する場合、ＳＤ映像信号の解像度のサムネイル一覧画像と、任意に選択されたサムネイル画像のステータス情報画像とを、ＨＤ映像信号に多重して、ＨＤＴＶモニタの表示例１０５のように生成して出力する。具体的には、ビデオカメラ１０１からＨＤＴＶモニタ１０３に対して出力される映像信号が１０８０ｉ形式なら、横１９２０画素×縦１０８０ラインの画角に対してサムネイル一覧画像を左側に多重し、空いた右側のスペースにステータス情報画像を多重する。また、ビデオカメラ１０１からＨＤＴＶモニタ１０３に対して出力される映像信号が７２０ｐ形式なら、横１２８０画素×縦７２０ラインの画角に対してサムネイル一覧画像を左側に多重し、空いた右側のスペースにステータス情報画像を多重する。ビデオカメラ１０１からＨＤＴＶモニタ１０３に対して出力される映像信号がＳＤ映像信号なら、横７２０画素×縦４８０ラインで生成されるサムネイル一覧画像をそのまま出力するが、このとき任意に選択されたサムネイル画像のステータス情報画像は表示しない。いずれの場合も、ＬＣＤ１０２にはＳＤ映像信号の解像度のサムネイル一覧画像をそのまま表示する。
【００２８】
図２において、入力端子２０１からは、選択された、サムネイル画像のステータスを表示するためのステータス情報が入力される。入力端子２０２からは、ビデオカメラ１０１の図示しない光学系により結像された被写体映像を図示しない個体撮像素子から読み出したＨＤ映像信号、ＳＤ映像信号等の映像信号が入力される。入力端子２０３からは、入力端子２０２に入力される映像信号のフォーマット情報を判別するための入力フォーマット情報が入力される。入力端子２０４からは、出力する映像信号のフォーマット情報を判別するための出力フォーマット情報が入力される。入力端子２０５からは、入力映像信号がサムネイル一覧画像か否かを判別するためのサムネイル判別情報が入力される。フォーマット変換手段２０６は、入力映像信号のフォーマット変換を行う。標準信号変換手段２０７は、入力映像信号から入力される映像信号がＨＤ映像信号であれば、これをＳＤ映像信号に変換して映像信号出力端子２１１へ出力し、ＳＤ映像信号であればそのまま映像信号出力端子２１１へ出力する。高精細サムネイル一覧画像生成手段２０８は、ＨＤ映像信号に高精細サムネイル一覧画像を多重して出力する。選択手段２０９は、フォーマット変換手段２０６の出力と高精細サムネイル一覧画像生成手段２０８の出力とを選択して出力する。出力端子２１０は、選択手段２０９により選択された出力映像信号を、Ｄ端子やＨＤＭＩ端子に出力する。なお、入力端子２０１、２０３、２０４、２０５は、ビデオカメラ１０１の図示しない制御手段から入力される。
【００２９】
まず入力映像信号が入力端子２０２からフォーマット変換手段２０６に入力されると共に、これと同期して入力映像信号の入力フォーマット情報が入力端子２０３から、出力フォーマット情報が入力端子２０４から、サムネイル判別情報が入力端子２０５からそれぞれ入力される。サムネイル判別情報としては、例えば入力映像信号がサムネイル一覧画像の場合には真、そうでない場合には偽が入力される。サムネイル一覧画像はＳＤ映像信号形式として入力され、このとき入力フォーマット情報にはＳＤ映像信号形式であることを示す信号、さらにサムネイル判別情報には真が入力される。
【００３０】
入力端子２０２より入力された前記入力映像信号は、フォーマット変換手段２０６において入力フォーマット情報と出力フォーマット情報に基づいてフォーマット変換が施される。フォーマット変換の例として、入力フォーマット情報が１０８０ｉであり出力フォーマット情報が４８０ｉ（ダウンコンバート）である場合、入力情報フォーマット情報が７２０ｐであり出力フォーマット情報が１０８０ｉ（アップコンバート）である場合、入力フォーマット情報が７２０ｐであり出力フォーマット情報が４８０ｉ（ダウンコンバート）である場合等がある。フォーマット変換を行わない例として、入力フォーマット情報と出力フォーマット情報とが同じ場合と、入力フォーマット情報が４８０ｉであり出力フォーマット情報が１０８０ｉまたは７２０ｐの場合がある。入力映像信号がサムネイル一覧画像である場合、すなわちサムネイル判別情報が真の場合は、フォーマット変換を行わずにＳＤ映像信号形式のまま出力する。
【００３１】
また入力端子２０２より入力された入力映像信号は、標準信号変換手段２０７にも入力され、ＳＤ映像信号形式にフォーマット変換が施され、映像出力端子２１１にＳＤ映像信号形式の映像信号が出力される。フォーマット変換の例として、入力フォーマット情報が１０８０ｉまたは７２０ｐのときは４８０ｉに変換する。入力フォーマット情報が４８０ｉまたはサムネイル判別情報が真の場合は、フォーマット変換を行わずにＳＤ映像信号形式のまま出力される。
【００３２】
一方、高精細サムネイル一覧画像生成手段２０８は、サムネイル判別情報が真の場合に高精細サムネイル一覧画像を生成し出力する。具体的には、まずフォーマット変換手段２０６から出力されるＳＤ映像信号形式のサムネイル一覧画像を、出力フォーマット情報に基づく出力映像信号に、任意に選択されたサムネイル画像のステータス情報と共に多重する。多重する際の背景となるＨＤ映像信号は、出力フォーマット情報に基づいて、例えばブルーバックやブラックバックなどの固定値映像信号を生成する。
【００３３】
また、高精細サムネイル一覧画像を表示する際の出力フォーマットは、直前に表示していた非サムネイル一覧画像の出力フォーマットを用いる。例えば、１０８０ｉのＨＤＴＶフォーマットで画像を再生している場合、この映像信号の再生を終了してサムネイル一覧画像を表示する場合は、１０８０ｉのＨＤＴＶフォーマットでサムネイル一覧画像を生成し、表示する。再生映像信号が７２０ｐのＨＤＴＶである場合も同様である。
【００３４】
ここで多重化の例を図３に示す。図３では、出力フォーマット情報としてＨＤＴＶ映像信号（１０８０ｉ、画素数横１９２０画素×縦１０８０ライン）が入力されている。そして、高精細サムネイル生成手段が持っている背景の固定値映像信号の画面左側領域に、入力端子２０２から入力されるＳＤ映像信号形式のサムネイル一覧画像を多重し、画面右側領域に、入力端子２０１から入力されるサムネイル画像に関するステータス情報を多重する。このステータス情報は、ユーザーがビデオカメラ１０１の操作ボタンやリモコン等（図示せず）を操作することでサムネイル一覧画像から選択したサムネイル画像についての情報である。
【００３５】
多重する際は、ＳＤ映像信号形式の縦横の画素数比は変えない。即ち、ＨＤ映像信号の画素数１９２０×１０８０の画角に対して、ＳＤ映像信号の画素数７２０×４８０の画角のまま多重する。その結果、サムネイル一覧画像はＨＤ映像信号の中の一部にはめ込み表示されることになる。ステータス情報は、ＯＳＤ等の文字情報を符号化して入力し、高精細サムネイル一覧画像生成手段２０８で復号化して、文字の形をしたビットマップを生成して所定の位置で多重する方式や、あるいは直接ビットマップ形式で入力する方法などがある。表示するステータス情報の例として、記録日時（Ｒｅｃ  Ｄａｔｅ、Ｒｅｃ  Ｔｉｍｅ）、ビデオフォーマット、タイムコードの始点、終点（ＴＣ  Ｓｔａｒｔ、ＴＣ  Ｅｎｄ）等がある。
【００３６】
このようにしてサムネイル一覧画像とステータス情報とを多重した高精細サムネイル一覧画像は選択手段２０９に出力される。
【００３７】
選択手段２０９には、フォーマット変換手段２０６と高精細サムネイル一覧画像生成手段２０８の出力が入力され、何れかが選択されて出力端子２１０に出力される。選択手段２０９の制御例を図３のフローチャートを用いて説明する。選択手段２０９には、制御信号として出力フォーマット情報入力端子２０４とサムネイル判別情報入力端子２０５からの入力信号が入力される。まず選択手段２０９に被選択信号である映像信号が入力されたとき、サムネイル判別情報が偽であることを示している場合には、フォーマット変換手段２０６の出力を選択して出力端子２１０に出力する。サムネイル判別情報が真であることを示している場合には、さらに出力フォーマット情報に基づいて、出力フォーマット情報がＳＤ信号形式であることを示している場合にはフォーマット変換手段２０６の出力を、出力フォーマット情報がＨＤＴＶ信号形式を示している場合には高精細サムネイル一覧画像生成手段２０８の出力を選択して出力端子２１０に出力すると同時に、出力端子２１１にＳＤ映像信号形式のサムネイル一覧画像または再生映像信号を出力する。
【産業上の利用可能性】
【００３８】
本発明の画像生成装置によれば、ＳＤ映像信号形式のサムネイル一覧画像を、ＨＤＴＶモニタにステータス情報と多重して出力し、さらに前記サムネイル一覧画像をＳＤ映像信号形式として同時に出力することで、高精細サムネイル一覧画像を得ると同時に視認性及び操作性の確保、制御部の簡略化という効果を有し、サムネイル一覧画像と再生信号とを切り替えて表示する画像生成装置として有用である。
【図面の簡単な説明】
【００３９】
【図１】本発明の実施の形態における、ビデオカメラとＨＤＴＶモニタとの接続とサムネイル一覧画像の表示例を示した図
【図２】本発明の実施の形態における、画像生成装置の構成図
【図３】本発明の実施の形態における、画像生成方法を示したフローチャート
【図４】従来の方式による、ビデオカメラとＨＤＴＶモニタとの接続とサムネイル一覧画像の表示例を示した図
【図５】従来の方式における、画像生成装置の構成図
【符号の説明】
【００４０】
１０１  ビデオカメラ
１０２  ＬＣＤ
１０３  ＨＤＴＶモニタ
１０４  ケーブル
１０５  ＨＤＴＶモニタの表示例
１０６  ＬＣＤ画面の表示例
２０１  サムネイルステータス情報の入力端子
２０２  映像信号の入力端子
２０３  入力フォーマット情報の入力端子
２０４  出力フォーマット情報の入力端子
２０５  サムネイル判別情報の入力端子
２０６  フォーマット変換手段
２０７  標準信号変換手段
２０８  高精細サムネイル一覧画像生成手段
２０９  選択手段
２１０  映像信号の出力端子
２１１  映像信号の出力端子
４０１  ビデオカメラ
４０２  ＬＣＤ
４０３  ＨＤＴＶモニタ
４０４  ケーブル
４０５  ＨＤＴＶモニタの表示例
４０６  ＬＣＤ画面の表示例
５０１  撮像部
５０２  画像メモリ
５０３  画像処理部
５０４  システム制御部
５０５  記憶媒体
５０６  画像表示部
５０７  信号切り替え部
５０８  映像信号出力端子
５０９  ＬＥＤ
５１０  ユーザー設定部
５１１  ＨＤＴＶ信号
５１２  ＳＤＴＶ信号
５１３  切り替え信号
５１４  接続及びケーブルの種類検出信号
【図２】
2008005100.tif 000003
【図３】
2008005100.tif 000004
【図５】
2008005100.tif 000005
【図１】
2008005100.tif 000006
【図４】
2008005100.tif 000007